(57)【特許請求の範囲】
【請求項１】
ＭＲＩシステムにおいて側波帯域を抑制するための方法であって、前記方法は、
被検体の少なくとも２つのスライスを第１及び第２の周波数帯域において同時に励起するための第１のマルチバンドＲＦパルスを提供し、前記ＭＲＩシステムを使用して、励起された２つのスライスからのＭＲ信号と、前記２つのスライスとは異なるスライスの第１のマルチバンドＲＦパルスによる側波帯域励起から生じる第３の周波数帯域における少なくとも１つの追加ＭＲ信号とを取得するステップａ）と、
前記第１のマルチバンドＲＦパルス及び前記追加ＭＲ信号から事前補償項を導き、前記事前補償項を前記第１のマルチバンドＲＦパルスに加えて第２のマルチバンドＲＦパルスを取得し、これにより、前記第２のマルチバンドＲＦパルスにより被検体の前記少なくとも２つのスライスを励起する際に前記追加ＭＲ信号の少なくとも一部を抑制するため前記第１のマルチバンドＲＦパルスを前記第２のマルチバンドＲＦパルスで置き換えるステップｂ）と、
を含む、方法。
【請求項２】
抑制された前記追加ＭＲ信号の少なくとも一部が所定の最小側波帯域信号振幅よりも高くなるまで、前記追加ＭＲ信号を決定するステップと、前記ステップｂ）において前記第２のマルチバンドＲＦパルスを前記第１のマルチバンドＲＦパルスとして使用して導くステップｃ）とを繰り返すステップを含む、請求項１に記載の方法。
【請求項３】
前記ＭＲＩシステムのＲＦコイルからの信号を再構成するために前記第２のマルチバンドＲＦパルスを使用して前記少なくとも２つのスライスを励起するステップを含み、前記ＲＦコイルの１つのＲＦコイルから信号を再構成するステップは、式Ｓｑ＊（ｆ＊ｘ）ｑ，１に従って行われ、ここで、ｑは前記少なくとも２つのスライスのうちの１つのスライス及び追加スライスを指し、Ｓｑはｑについての前記１つのＲＦコイルの感度であり、ｆはｑにおける、全てのローブ（メイン及び追加の信号の成分を表すメインローブ及びサイドローブ）の正規化された測定信号振幅であり、ｘはｑからの信号である、請求項１又は２に記載の方法。
【請求項４】
前記追加ＭＲ信号を決定するステップは、
前記第１のマルチバンドＲＦパルスを使用して前記２つのスライスを励起するステップと、
前記第１のマルチバンドＲＦパルスに応答して前記２つのスライスについて取得されたＭＲデータを使用して画像を再構成するステップと、
再構成された前記画像を使用して前記追加ＭＲ信号を識別するステップとを含む、
請求項１乃至３の何れか一項に記載の方法。
【請求項５】
前記ＭＲＩシステムは、前記ＭＲＩシステムで生成されたＲＦパルスを増幅するためのＲＦ増幅器を備え、前記追加ＭＲ信号を決定するステップは、
前記第１のマルチバンドＲＦパルスを使用して前記２つのスライスを励起するステップと、
前記第１のマルチバンドＲＦパルスを前記ＲＦ増幅器の出力として又は前記ＭＲＩシステムのＲＦコイルの出力として受信するステップと、
受信された前記第１のマルチバンドＲＦパルスの周波数スペクトルを取得するために、前記受信された第１のマルチバンドＲＦパルスにフーリエ変換又はブロックシミュレーションを施すステップと、
前記周波数スペクトル内の前記追加ＭＲ信号を識別するステップとを含む、
請求項１乃至３の何れか一項に記載の方法。
【請求項６】
前記追加ＭＲ信号を決定するステップは、前記追加ＭＲ信号が前記第３の周波数帯域における側波帯域信号であることを示すデータを前記ＭＲＩシステムのユーザから受信するステップを含む、請求項１乃至３の何れか一項に記載の方法。
【請求項７】
前記追加ＭＲ信号を決定するステップは、１つ以上のマルチバンドＲＦパルス及び関連付けられた周波数スペクトルを示す履歴データを提供するステップと、
前記第１のマルチバンドＲＦパルスに対応する前記１つ以上のマルチバンドＲＦパルスの１つのマルチバンドＲＦパルスを識別するステップと、
識別された前記マルチバンドＲＦパルスに関連付けられた周波数スペクトルを使用して前記追加ＭＲ信号を識別するステップとを含む、
請求項１乃至３の何れか一項に記載の方法。
【請求項８】
前記識別するステップは、
前記被検体のジオメトリを決定するステップと、
周波数スペクトルにおける前記第１の周波数帯域及び前記第２の周波数帯域の周辺領域を決定するため、決定された前記ジオメトリを使用するステップと、
前記周辺領域内の前記追加ＭＲ信号を識別するステップとを含む、請求項４乃至７の何れか一項に記載の方法。
【請求項９】
前記第１のマルチバンドＲＦパルスは、Ａｅｉ（φ＋２πｆｔ）＋Ａｅｉ（φ−２πｆｔ）＝Ａｅｉφ・２・ｃｏｓ（２πｆ・ｔ）と定義され、前記第２のマルチバンドＲＦパルスは、Ａｅｉφ・（２・ｃｏｓ（２πｆ・ｔ）−ｈ（ｆ，ｔ））と定義され、ここで、
【数４】
0006608435.tif 000005
は事前補償項であり、ｓｋは前記第１の周波数帯域又は前記第２の周波数帯域における前記ＭＲ信号の１つの信号の振幅と前記第３の周波数帯域における前記追加ＭＲ信号の振幅との間の比を表すチューニングパラメータであり、（２ｋ）ｆは前記第３の周波数帯域を含み、φｋは前記追加ＭＲ信号と前記２つのスライスからの前記ＭＲ信号の１つの信号との間の位相差であり、Ｎは少なくとも１つの前記追加ＭＲ信号の数を決定する、請求項１乃至８の何れか一項に記載の方法。
【請求項１０】
前記第２のマルチバンドＲＦパルスは、Ａｅｉφ・ｇ（ｆ・ｔ）・ｍ（ｆ，ｔ）と定義され、ここで、ｍ（ｆ，ｔ）は調和関数であり、ｇ（ｆ，ｔ）＝２・ｃｏｓ（２πｆ・ｔ）であり、ｇ（ｆ，ｔ）ｍ（ｆ，ｔ）のｔについてのフーリエ変換は、ｆ及び−ｆにおいて１に近く、それ以外では０に近い応答を与える、請求項１乃至８の何れか一項に記載の方法。
【請求項１１】
請求項１乃至１０の何れか一項に記載の方法のステップを実行するコンピュータ実行可能命令を含む、コンピュータプログラム。
【請求項１２】
側波帯域抑制のための磁気共鳴イメージング（ＭＲＩ）システムのＲＦパルス生成器であって、被検体の少なくとも２つのスライスを第１及び第２の周波数帯域において同時に励起するための第１のマルチバンドＲＦパルスが提供され、前記ＭＲＩシステムを使用して、励起された前記２つのスライスからのＭＲ信号と、前記２つのスライスとは異なるスライスの側波帯域励起から生じる第３の周波数帯域における少なくとも１つの追加ＭＲ信号とを取得し、前記ＲＦパルス生成器は、前記追加ＭＲ信号を決定するために前記第１のマルチバンドＲＦパルスを使用し、前記第１のマルチバンドＲＦパルス及び前記追加ＭＲ信号から事前補償項を導き、前記事前補償項を前記第１のマルチバンドＲＦパルスに加えて第２のマルチバンドＲＦパルスを取得し、これにより、前記第２のマルチバンドＲＦパルスにより被検体の少なくとも２つのスライスを励起する際に、前記追加ＭＲ信号の少なくとも一部を抑制するために前記第１のマルチバンドＲＦパルスを前記第２のマルチバンドＲＦパルスで置き換える、ＲＦパルス生成器。
【請求項１３】
請求項１２に記載のＲＦパルス生成器を含む、磁気共鳴データを取得するためのＭＲＩシステム。
【発明の詳細な説明】
【技術分野】
【０００１】
本発明は、磁気共鳴イメージング、特にマルチバンドＲＦパルスを生成する方法に関する。
【背景技術】
【０００２】
マルチバンド励起は、２つ以上のスライスを例えば同時に励起及び取得することによりマルチスライス磁気共鳴イメージング（ＭＲＩ）スキャンを加速させる。しかし、ＲＦハードウェア制限により、マルチバンド励起は、特に高周波変調マルチバンド励起及び／又は高出力スキャンが用いられる場合は得られる画像に側波帯域アーチファクトを示す。例えば、側波帯域アーチファクトはメインローブと重複する或いはメインローブに折り込まれるスペクトル又は側波帯域信号の結果である。
【０００３】
米国特許出願ＵＳ２０１１／０２６７０５３は、幾つかのスラブが連続してスキャンされ、各ＴＲ間隔内の幾つかのスラブからデータが取得される３Ｄ  ＴＳＥ撮像法に関連する。
【０００４】
米国特許出願ＵＳ２０１４／０１６７７５２は、ハーフＲＦパルスを使用する、正及び負の勾配パルスを追加することによりサイドローブ信号が打ち消されるＵＴＥシーケンスに関連する。
【発明の概要】
【発明が解決しようとする課題】
【０００５】
様々な実施形態により、独立請求項の主題に記載されるような、マルチバンドＲＦパルスを生成する改良された方法、改良されたコンピュータプログラム製品、改良された磁気共鳴イメージングＭＲＩシステム及び改良されたＲＦパルス生成器が提供される。有利な実施形態が従属請求項に記載される。
【課題を解決するための手段】
【０００６】
一態様では、本発明は、ＭＲＩシステムにおいて側波帯域を抑制するための方法に関する。方法は、被検体の少なくとも２つのスライスを第１及び第２の周波数帯域において同時に励起するための第１のマルチバンドＲＦパルスを提供し、ＭＲＩシステムを使用して、励起された２つのスライスからの信号と、２つのスライスとは異なるスライスの側波帯域励起から生じる第３の周波数帯域における少なくとも１つの追加信号とを取得すること（ステップａ））を含む。例えば信号は、同時に取得される磁気共鳴信号である。励起された２つのスライスからの信号の周波数及び振幅を示す周波数スペクトル又は周波数プロファイルは、取得された信号を使用して再構成される。ＭＲＩシステムは、イメージングゾーンを有するメイン磁場を生成するための磁石を含み、被検体の少なくとも一部はイメージングゾーン内にある。
【０００７】
方法は更に、データ内の追加信号を決定するために第１のマルチバンドＲＦパルスを使用すること（ステップｂ））と、第１のマルチバンドＲＦパルス及び追加信号から事前補償項を導き、事前補償項を第１のマルチバンドＲＦパルスに加えて第２のマルチバンドＲＦパルスを取得することにより、第１のマルチバンドＲＦパルスを、追加信号の少なくとも一部を抑制するために第２のマルチバンドＲＦパルスで置き換えること（ステップｃ））とを含む。加えることは、事前補償項を第１のマルチバンドＲＦパルスと結合することを含む。第１のマルチバンドＲＦパルス及び追加信号から事前補償項を導くことは、第１のマルチバンドＲＦパルス、追加信号の振幅及び／又は第３の周波数帯域から事前補償項を導くことを含む。つまり、本発明は、第２のマルチバンドＲＦパルスにより被検体の少なくとも２つのスライスを励起すると同時に追加信号の少なくとも一部の抑制を実現する。
【０００８】
「決定すること（ｄｅｔｅｒｍｉｎｉｎｇ）」という言葉は、予測、検出、測定及び／又は識別を指す。
【０００９】
励起は、第１のマルチバンドＲＦパルスによるある領域又はスライスへの磁化の傾斜又は励起を制限する。「周波数帯域」とは、特定の位置においてスライス厚さにマッピングする周波数範囲を指す。マルチバンドとは複数の周波数範囲を指す（マルチスライス）。「スライス」という言葉は、選択的及び／又は再フォーカス励起による影響を受ける領域を指す。「スライス」という言葉は、ＭＲ画像又はスペクトルで表される磁化の物理的領域又は空間分布を指す。
【００１０】
これらの特徴は、非意図的に励起されたスライスを回避又は抑制するための予防法を提供するという利点を有する。言い換えれば、本方法によって、スライスの非意図的な励起から生じる側波帯域の事前補正が行われる。これによって、取得されたＭＲデータの品質が向上し、さもなければ再構成された画像内の側波帯域の事後補正に必要な処理資源が節約される。
【００１１】
一実施形態によれば、追加信号を決定することは、第１のマルチバンドＲＦパルスを使用して２つのスライスを励起することと、第１のマルチバンドＲＦパルスに応答して２つのスライスについて取得されたＭＲデータを使用して画像を再構成することと、再構成された画像を使用して追加信号を識別することとを含む。この実施形態の機能は、ＭＲＩシステムの較正スキャンの間に実行される。較正スキャンは典型的には被検体の診断スキャンの前に実行される。この実施形態は、追加信号（本明細書では側波帯域信号、サイドローブ又はサイドローブ信号とも呼ばれる）を識別するための正確な方法を提供するという利点を有する。
【００１２】
一実施形態によれば、ＭＲＩシステムは、ＭＲＩシステムで生成されたＲＦパルスを増幅するためのＲＦ増幅器を備え、追加信号を決定することは、第１のマルチバンドＲＦパルスを使用して２つのスライスを励起することと、第１のマルチバンドＲＦパルスをＲＦ増幅器の出力として又はＭＲＩシステムのＲＦコイルの出力として受信することと、受信された第１のマルチバンドＲＦパルスの周波数スペクトルを取得するために、受信された第１のマルチバンドＲＦパルスにフーリエ変換又はブロックシミュレーションを施すことと、周波数スペクトル内の追加信号を識別することとを含む。例えば、ＲＦ増幅器及び／又はＲＦコイルは、その出力（ＲＦパルス）を、追加信号を識別するＭＲＩシステムのＲＦパルス生成器に送信するように構成される。この実施形態の機能は、較正スキャンの間又は診断スキャンの間に実行される。例えば、診断スキャンの間に、ＭＲＩシステムは、第１のマルチバンドＲＦパルスを置き換えた後に第２のマルチバンドＲＦパルスが印加される、即ち第１のマルチバンドＲＦパルスが印加されないように制御される。この方法によって、追加信号を識別するために（例えばスライスを励起し、画像を再構成することなく）ＭＲＩシステムの完全実行が回避される。
【００１３】
一実施形態によれば、追加信号を決定することは、追加信号が第３の周波数帯域における側波帯域信号であることを示すデータをＭＲＩシステムのユーザから受信することを含む。例えば、データの受信は、ユーザが第１のマルチバンドＲＦパルスの印加から生じる追加信号を示すことを促されることに応答して行われる。
【００１４】
一実施形態によれば、追加信号を決定することは、１つ以上のマルチバンドＲＦパルス及び関連付けられた周波数スペクトルを示す履歴データを提供することと、第１のマルチバンドＲＦパルスに対応する１つ以上のマルチバンドＲＦパルスの１つのマルチバンドＲＦパルスを識別することと、識別されたマルチバンドＲＦパルスに関連付けられた周波数スペクトルを使用して追加信号を識別することとを含む。例えば、第２のマルチバンドＲＦパルスは、１つ以上のマルチバンドＲＦパルスのうち、その関連付けられた周波数スペクトルが追加信号を有しない第１のマルチバンドＲＦパルスの予想周波数スペクトルに対応する１つのマルチバンドＲＦパルスとして選択される。この実施形態は、追加（側波帯域）信号を識別するための自動化方法を提供するという利点を有する。
【００１５】
一実施形態によれば、識別することは、被検体の形状又は大きさを決定することと、決定された形状又は大きさを使用して、周波数スペクトルにおける第１及び第２の周波数帯域の周辺領域を決定することと、周辺領域内の追加信号を識別することとを含む。決定される被検体の形状又は大きさは、例えばＭＲＩシステムのイメージングゾーン内にある撮像される被検体の一部の形状又は大きさを含む。これによって、所望の画像に影響を及ぼす側波帯域信号のみを抑制するための効率的な方法が提供される。例えば、撮像された被検体の一部をカバーする画像領域にアーチファクト効果をもたらさない側波帯域信号は処理又は識別されない。
【００１６】
一実施形態によれば、第１のマルチバンドＲＦパルスは、Ａｅｉ（φ＋２πｆｔ）＋Ａｅｉ（φ−２πｆｔ）＝Ａｅｉφ・２・ｃｏｓ（２πｆ・ｔ）と定義され、第２のマルチバンドＲＦパルスは、Ａｅｉφ・（２・ｃｏｓ（２πｆ・ｔ）−ｈ（ｆ，ｔ））と定義される。ここで、
【数１】
0006608435.tif 000002
は事前補償項であり、ｓｋは第１又は第２の周波数帯域における信号の１つの信号の振幅と第（２ｋ＋１）の周波数帯域における追加信号の振幅との間の比を表すチューニングパラメータであり、φｋは追加信号と２つのスライスからの信号の１つの信号との間の位相差であり、Ｎは少なくとも１つの追加信号の数を決定する。所与の周波数帯域における信号の振幅は、所与の周波数帯域の中心周波数における振幅である。別の例では、所与の周波数帯域における信号の振幅はその信号下の表面である。第１又は第２の周波数帯域における１つの信号は無作為に選択される。別の例では、第１又は第２の周波数帯域における１つの信号は、第３の周波数帯域により近い周波数帯域を有する信号である。別の例では、第１又は第２の周波数帯域における１つの信号は、最高振幅を有する信号である。例えば、第１又は第２の周波数帯域における１つの信号及び第３の周波数帯域における追加信号の振幅は、（例えば、追加スライス、及び第１又は第２の周波数帯域における１つの信号に関連付けられた２つのスライスのうちの１つにおける同じプロトン密度に）正規化され、その後正規化された信号の振幅の比をとることが行われる。
【００１７】
一実施形態によれば、第２のマルチバンドＲＦパルスは、Ａｅｉφ・ｇ（ｆ・ｔ）・ｍ（ｆ，ｔ）と定義され、ここで、ｍ（ｆ，ｔ）は調和関数であり、ｇ（ｆ，ｔ）ｍ（ｆ，ｔ）のｔについてのフーリエ変換は、ｆ及び−ｆにおいて１に近く、それ以外では０に近い応答を与え、ｇ（ｆ，ｔ）＝２・ｃｏｓ（２πｆ・ｔ）である。
【００１８】
これらの実施形態によって、相互に照合される事前補償項を決定するための代替的な方法が提供される。
【００１９】
一実施形態によれば、方法は更に、抑制された追加信号の少なくとも一部が所定の最小側波帯域信号振幅よりも高くなるまで、ステップｂ）において第２のマルチバンドＲＦパルスを第１のマルチバンドＲＦパルスとして使用して、追加信号を決定すること、及び導くステップｃ）を繰り返すことを含む。これは、複数のメインローブ信号に対して、不所望のサイドローブ又は追加信号を更に減らすという利点を有する。
【００２０】
一実施形態によれば、方法は更に、ＭＲＩシステムの複数のＲＦコイルからの信号を再構成するために第２のマルチバンドＲＦパルスを使用して２つのスライスを励起することを含み、複数のＲＦコイルの１つのＲＦコイルからの信号を再構成することは、公式Ｓｑ＊（ｆ＊ｘ）ｑ，１に従って行われる。ここで、ｑは２つのスライスのうちの１つのスライス及び追加スライスを指し、ＳｑはｑについてのＲＦコイルの感度であり、ｆはｑにおける信号の正規化された振幅であり、ｘはｑからの信号である。先の実施形態により説明された第１の抑制方法を実行した後もなおサイドローブが残っているため、本方法は、残っているサイドローブにより生じるアーチファクトをメインローブの画像から減らす又は取り除くという利点を有する。更に、メインローブ信号は等しくなく、その差は再構成公式の「ｆ」に反映されているため、メインローブにおける差も補正される。例えば、ＭＲＩシステムは、２つのスライス及び追加スライスのうちの１スライスにつき少なくとも１つのＲＦコイルを含む。この実施形態は物理的スキャンの間に行われる。
【００２１】
別の態様では、本発明は、先行する実施形態の何れか１つの方法の方法ステップを実行するコンピュータ実行可能命令を含むコンピュータプログラム製品に関する。
【００２２】
別の態様では、本発明は、側波帯域抑制のための磁気共鳴イメージング（ＭＲＩ）システムのＲＦパルス生成器に関し、被検体の少なくとも２つのスライスを第１及び第２の周波数帯域において同時に励起するための第１のマルチバンドＲＦパルスが提供され、ＭＲＩシステムを使用して、励起された２つのスライスからの信号と、２つのスライスとは異なるスライスの側波帯域励起から生じる第３の周波数帯域における少なくとも１つの追加信号とを取得する。ＲＦパルス生成器は、追加信号を決定するために第１のマルチバンドＲＦパルスを使用し、第１のマルチバンドＲＦパルス及び追加信号から事前補償項を導き、事前補償項を第１のマルチバンドＲＦパルスに加えて第２のマルチバンドＲＦパルスを取得することにより、追加信号の少なくとも一部を抑制するために第１のマルチバンドＲＦパルスを第２のマルチバンドＲＦパルスで置き換えるように構成される。
【００２３】
別の態様では、本発明は、先の実施形態によるＲＦパルス生成器を含む磁気共鳴データを取得するためのＭＲＩシステムに関する。
【００２４】
当業者には理解されるように、本発明の態様は、装置、方法又はコンピュータプログラムプロダクトとして具体化され得る。従って、本発明の態様は、全面的にハードウェア実施形態、全面的にソフトウェア実施形態（ファームウェア、常駐ソフトウェア、マイクロコード等を含む）又は本明細書において全て一般的に「回路」、「モジュール」若しくは「システム」と称され得るソフトウェア及びハードウェア態様を組み合わせた実施形態の形態をとり得る。更に、本発明の態様は、それ上で具体化されたコンピュータ実行可能コードを有する１つ又は複数のコンピュータ可読媒体において具体化されたコンピュータプログラムプロダクトの形態をとり得る。
【００２５】
本発明の態様は、本発明の実施形態による方法、装置（システム）及びコンピュータプログラムプロダクトのフローチャート、図及び／又はブロック図を参照して説明される。フローチャート、図、及び／又はブロック図の各ブロック又は複数のブロックの一部は、適用できる場合、コンピュータ実行可能コードの形態のコンピュータプログラム命令によって実施され得ることが理解されよう。相互排他的でなければ、異なるフローチャート、図、及び／又はブロック図におけるブロックの組み合わせが組み合わせられてもよいことが更に理解される。これらのコンピュータプログラム命令は、コンピュータ又は他のプログラム可能データ処理装置のプロセッサを介して実行する命令がフローチャート及び／又はブロック図の１つ又は複数のブロックにおいて指定された機能／行ためを実施するための手段を生じさせるように機械を作るために、汎用コンピュータ、特定用途コンピュータ、又は他のプログラム可能データ処理装置のプロセッサへと提供されてもよい。
【００２６】
１つ又は複数のコンピュータ可読媒体の任意の組み合わせが利用されてもよい。コンピュータ可読媒体は、コンピュータ可読信号媒体又はコンピュータ可読ストレージ媒体でもよい。本明細書で使用される「コンピュータ可読ストレージ媒体」は、コンピューティングデバイスのプロセッサによって実行可能な命令を保存することができる任意の有形ストレージ媒体を包含する。コンピュータ可読ストレージ媒体は、コンピュータ可読非一時的ストレージ媒体と称される場合もある。コンピュータ可読ストレージ媒体はまた、有形コンピュータ可読媒体と称される場合もある。一部の実施形態では、コンピュータ可読ストレージ媒体はまた、コンピューティングデバイスのプロセッサによってアクセスされることが可能なデータを保存可能であってもよい。コンピュータ可読ストレージ媒体の例は、フロッピー（登録商標）ディスク、磁気ハードディスクドライブ、半導体ハードディスク、フラッシュメモリ、ＵＳＢサムドライブ、ランダムアクセスメモリ（ＲＡＭ）、読み取り専用メモリ（ＲＯＭ）、光ディスク、磁気光学ディスク、及びプロセッサのレジスタファイルを含むが、これらに限定されない。光ディスクの例は、例えば、ＣＤ−ＲＯＭ、ＣＤ−ＲＷ、ＣＤ−Ｒ、ＤＶＤ−ＲＯＭ、ＤＶＤ−ＲＷ、又はＤＶＤ−Ｒディスクといったコンパクトディスク（ＣＤ）及びデジタル多用途ディスク（ＤＶＤ）を含む。コンピュータ可読ストレージ媒体という用語は、ネットワーク又は通信リンクを介してコンピュータデバイスによってアクセスされることが可能な様々な種類の記録媒体も指す。例えば、データは、モデムによって、インターネットによって、又はローカルエリアネットワークによって読み出されてもよい。コンピュータ可読媒体上で具体化されたコンピュータ実行可能コードは、限定されることはないが、無線、有線、光ファイバケーブル、ＲＦ等を含む任意の適切な媒体、又は上記の任意の適切な組み合わせを用いて送信されてもよい。
【００２７】
コンピュータ可読信号媒体は、例えばベースバンドにおいて又は搬送波の一部として内部で具体化されたコンピュータ実行可能コードを備えた伝搬データ信号を含んでもよい。このような伝搬信号は、限定されることはないが電磁気、光学的、又はそれらの任意の適切な組み合わせを含む様々な形態の何れかをとり得る。コンピュータ可読信号媒体は、コンピュータ可読ストレージ媒体ではない任意のコンピュータ可読媒体や、命令実行システム、装置、若しくはデバイスによって又はそれと関連して使用するためのプログラムを通信、伝搬、又は輸送できる任意のコンピュータ可読媒体でもよい。
【００２８】
「コンピュータメモリ」又は「メモリ」は、コンピュータ可読ストレージ媒体の一例である。コンピュータメモリは、プロセッサに直接アクセス可能な任意のメモリである。「コンピュータストレージ」又は「ストレージ」は、コンピュータ可読ストレージ媒体の更なる一例である。コンピュータストレージは、任意の不揮発性コンピュータ可読ストレージ媒体である。一部の実施形態では、コンピュータストレージは、コンピュータメモリであってもよい又はその逆でもよい。
【００２９】
本明細書で使用される「ユーザインタフェース」は、ユーザ又はオペレータがコンピュータ又はコンピュータシステムとインタラクトすることを可能にするインタフェースである。「ユーザインタフェース」は、「ヒューマンインタフェースデバイス」と称される場合もある。ユーザインタフェースは、情報若しくはデータをオペレータに提供することができる及び／又は情報若しくはデータをオペレータから受信することができる。ユーザインタフェースは、オペレータからの入力がコンピュータによって受信されることを可能にしてもよい及びコンピュータからユーザへ出力を提供してもよい。つまり、ユーザインタフェースはオペレータがコンピュータを制御する又は操作することを可能にしてもよい、及びインタフェースはコンピュータがオペレータの制御又は操作の結果を示すことを可能にしてもよい。ディスプレイ又はグラフィカルユーザインタフェース上のデータ又は情報の表示は、情報をオペレータに提供する一例である。キーボード、マウス、トラックボール、タッチパッド、指示棒、グラフィックタブレット、ジョイスティック、ゲームパッド、ウェブコム、ヘッドセット、ギアスティック、ステアリングホイール、ペダル、有線グローブ、ダンスパッド、リモコン、及び加速度計を介したデータの受信は、オペレータから情報又はデータの受信を可能にするユーザインタフェース要素の全例である。
【００３０】
本明細書で使用される「ハードウェアインタフェース」は、コンピュータシステムのプロセッサが外部コンピューティングデバイス及び／又は装置とインタラクトする及び／又はそれを制御することを可能にするインタフェースを包含する。ハードウェアインタフェースは、プロセッサが外部コンピューティングデバイス及び／又は装置へ制御信号又は命令を送ることを可能にしてもよい。ハードウェアインタフェースはまた、プロセッサが外部コンピューティングデバイス及び／又は装置とデータを交換することを可能にしてもよい。ハードウェアインタフェースの例は、ユニバーサルシリアルバス、ＩＥＥＥ１３９４ポート、パラレルポート、ＩＥＥＥ１２８４ポート、シリアルポート、ＲＳ−２３２ポート、ＩＥＥＥ４８８ポート、ブルートゥース（登録商標）接続、無線ＬＡＮ接続、ＴＣＰ／ＩＰ接続、イーサネット（登録商標）接続、制御電圧インタフェース、ＭＩＤＩインタフェース、アナログ入力インタフェース、及びデジタル入力インタフェースを含むが、これらに限定されない。
【００３１】
本明細書で使用される「プロセッサ」は、プログラム、機械実行可能命令、又はコンピュータ実行可能コードを実行可能な電子コンポーネントを包含する。「プロセッサ」を含むコンピューティングデバイスへの言及は、場合により、２つ以上のプロセッサ又は処理コアを含むと解釈されるべきである。プロセッサは、例えば、マルチコアプロセッサである。プロセッサは、また、単一のコンピュータシステム内の、又は複数のコンピュータシステムの中へ分配されたプロセッサの集合体も指す。コンピュータデバイスとの用語は、各々が一つ又は複数のプロセッサを有するコンピュータデバイスの集合体又はネットワークを指してもよいと理解されるべきである。コンピュータ実行可能コードは、同一のコンピュータデバイス内の、又は複数のコンピュータデバイス間に分配された複数のプロセッサによって実行される。
【００３２】
磁気共鳴（ＭＲ）データは、本明細書においては、磁気共鳴イメージングスキャン中に磁気共鳴装置のアンテナによって原子スピンにより発せられた無線周波数信号の記録された測定結果として定義される。磁気共鳴データは、医療画像データの一例である。磁気共鳴イメージング（ＭＲＩ）画像は、本明細書においては、磁気共鳴イメージングデータ内に含まれる解剖学的データの復元された２次元又は３次元視覚化として定義される。この視覚化は、コンピュータを使用して行うことができる。
【００３３】
本発明の上述した実施形態の１つ又は複数は、組み合わされる実施形態が相互に排他的でない限り組み合わされ得ることを理解されたい。
【図面の簡単な説明】
【００３４】
以下において、本発明の好適な実施形態が、単なる例として次の図面を参照して説明される。
【００３５】
【図１】図１は、磁気共鳴イメージングシステムを示す。
【図２】図２は、側波帯域信号を回避又は抑制するための方法のフローチャートである。
【図３】図３は、スライスプロファイルを示す。
【図４】図４は、本方法の少なくとも一部を適用する前後のスライスプロファイルを示す。
【図５】図５は、側波帯域信号を決定するための例示的な方法のフローチャートである。
【図６】図６は、側波帯域信号を決定するための別の例示的な方法のフローチャートである。
【図７】図７は、スライスプロファイルを示す。
【発明を実施するための形態】
【００３６】
以下において、図において似通った参照符号を付された要素は、同様の要素であるか、等価な機能を実行するかの何れかである。先に考察された要素は、機能が等価である場合は、後の図においては必ずしも考察されない。
【００３７】
図においては、当業者によく知られた詳細事項で本発明を不明瞭にしないように、単に説明の目的で、様々な構造、システム及びデバイスが模式的に描かれている。それにもかかわらず、添付の図面は、開示された主題の説明に役立つ例を記述及び説明するために含められている。
【００３８】
図１は、磁気共鳴イメージングシステム１００の一例を示す。磁気共鳴イメージングシステム１００は、磁石１０４を含む。磁石１０４は、当該磁石１０４を貫通するボア１０６を有した超伝導円筒型磁石である。異なる種類の磁石の使用も可能であり、例えば、分割円筒磁石及び所謂開放磁石の両方を使用することも可能である。分割円筒磁石は、クライオスタットが２つの部分に分割されて、磁石の等平面へのアクセスを可能にする点を除いて、標準的な円筒磁石に類似し、斯かる磁石は、例えば荷電粒子ビーム療法と共に使用される。開放磁石は、２つの磁石部分を有し、被検体１１８を受容するのに十分な大きさの空間を間に有して一方が他方の上にあり、２つの部分の領域の配置は、ヘルムホルツコイルのものと類似する。被検体が閉じ込められる度合いが低いことから、開放磁石が普及している。円筒磁石のクライオスタットの内部には、超伝導コイルの一群が存在する。円筒磁石１０４のボア１０６内部には、磁気共鳴イメージングを行うのに十分な程、磁場が強く均一であるイメージングゾーン１０８が存在する。
【００３９】
磁石のボア１０６内部には、磁気共鳴データの取得のために使用されて、磁石１０４のイメージングゾーン１０８内で標的体積の磁気スピンを空間的に符号化する磁場勾配コイル１１０のセットも存在する。磁場勾配コイル１１０は、磁場勾配コイル電源１１２に接続される。磁場勾配コイル１１０は、代表的なものである。一般的に、磁場勾配コイル１１０は、３つの直交する空間方向に空間的に符号化を行うための３つの別々のコイルセットを含む。磁場勾配電源は、電流を磁場勾配コイルに供給する。磁場勾配コイル１１０に供給される電流は、時間の関数として制御され、傾斜がつけられる又はパルス出力される。
【００４０】
ＭＲＩシステム１００は更に、被検体１１８の上方にあり、イメージングゾーン１０８に隣接するＲＦ励起パルスを生成するためのＲＦ送信コイル１１４を含む。ＲＦ送信コイル１１４は、例えば表面コイル又は他の特殊ＲＦコイルのセットを含む。ＲＦ送信コイル１１４は、ＲＦパルスの送信のため及び磁気共鳴信号の受信のために交互に使用され、例えばＲＦ送信コイル１１４は複数のＲＦ送信コイルからなる送信アレイコイルとして実装される。ＲＦ送信コイル１１４はＲＦ増幅器１１５に接続される。ＲＦ増幅器１１５はＲＦパルス生成器１６４に接続される。ＲＦパルス生成器１６４は、例えばイメージングゾーン１０８内で被検体１１８の複数のスライスを同時に励起するためのマルチバンドＲＦパルスを生成する（例えばＣａｉｐｉｒｉｎｈａアプローチ等）。
【００４１】
磁場勾配コイル電源１１２及びＲＦパルス生成器１６４はコンピュータシステム１２６のハードウェアインターフェース１２８に接続される。コンピュータシステム１２６は更にプロセッサ１３０を含む。プロセッサ１３０は、ハードウェアインターフェース１２８、ユーザインターフェース１３２、コンピュータストレージ１３４、及びコンピュータメモリ１３６に接続される。
【００４２】
コンピュータメモリ１３６は制御モジュール１６０を含むものとして示されている。制御モジュール１６０は、プロセッサ１３０が磁気共鳴イメージングシステム１００の動作及び機能を制御可能にするコンピュータ実行可能コードを含む。制御モジュール１６０はまた、磁気共鳴データの取得等の磁気共鳴イメージングシステム１００の基本動作を可能にする。
【００４３】
コンピュータストレージ１３４は、例えば１つ以上のマルチバンドＲＦパルス及び関連周波数スペクトルを示すデータベースの形をとる履歴データ１７０を含むものとして示されている。周波数スペクトルは、ＭＲＩシステム１００の１つ以上のマルチバンドＲＦパルスの１つのマルチバンドＲＦパルスに対する応答（例えば再構成された画像）である。周波数スペクトルは、マルチバンドＲＦパルスが印加された場合のＭＲＩシステム１００の応答のシミュレーションを使用して取得される。シミュレーションはＭＲＩシステム１００のモデルに基づく。別の例では、周波数スペクトルは、ＭＲＩシステム１００を使用した較正スキャン又は診断スキャンを使用して取得される。
【００４４】
マルチバンドＲＦパルスをスライスに印加することに応答して、ＭＲＩシステム１００は、励起されたスライスからの信号を含む周波数スペクトル（即ちスライスプロファイル）を再構成する。しかし、少なくともＲＦ増幅器１１５及び／又はＲＦ送信コイル１１４の応答の非線形性によって、少なくとも１つの追加信号（側波帯域信号）が当該スライスとは異なる１つのスライスの励起（即ち側波帯域励起）から生じる周波数スペクトルに存在する。本発明による側波帯域抑制は、不要な側波帯域の発生源とは無関係に達成されることに留意されたい。つまり、不要な側波帯域の原因が何であれ、抑制は事前補償項により同じように行われる。ＲＦ増幅器の欠陥は側波帯域の原因の一例に過ぎないが、側波帯域を抑制する本発明の解決策は正確な発生源には依存しない。
【００４５】
図２は、追加信号を回避又は抑制するための方法のフローチャートである。追加信号３０９〜３１２及び対象とする／所望のスライスからの信号３０７〜３０８（メインローブ又はメインローブ信号とも呼ばれる）の一例が、図３のスライスプロファイル即ち周波数スペクトル３００に示されている。単純化するために、２つのスライスのみが、例えば第１の周波数帯域３０１及び第２の周波数帯域３０３においてマルチバンドＲＦパルスにより励起されたものとして説明される。また、追加信号３０９は、例えば第３の周波数帯域３０５における追加（不所望の）スライスの励起から生じる。
【００４６】
マルチバンドＲＦパルスは２つの個別のＲＦパルス波形の合計として取得される。
パルス＃１＋パルス＃２：Ａｅｉ（φ＋２πｆｔ）＋Ａｅｉ（φ−２πｆｔ）＝Ａｅｉφ・２・ｃｏｓ（２πｆ・ｔ）
【００４７】
マルチバンドＲＦパルスは、Ａｅｉφ・ｇ（ｆ，ｔ）として表される。
ここで、Ａｅｉφはパルス波形を定義し、ｇ（ｆ，ｔ）＝２・ｃｏｓ（２πｆ・ｔ）は周波数変調関数である。
【００４８】
ステップ２０１において、マルチバンドＲＦパルス（即ち前述の第１のマルチバンドＲＦパルス）はＲＦパルス生成器１６４により使用され、追加信号３０９〜３１２を決定する。追加信号３０９〜３１２を決定することは、例えば、マルチバンドＲＦパルスを印加することに応答してＭＲＩシステム１００により取得又は再構成される周波数スペクトル３００において、追加信号を予測すること、及び／又は追加信号３０９〜３１２を識別することを含む。
【００４９】
例えば、追加信号３０９〜３１２の決定は、ＭＲＩスキャンを実行する又は完了する前、即ちＭＲＩシステム１００を使用して２つのスライスを励起する前に行われる。追加信号を決定するための方法についての更なる詳細は図５〜図６を参照して説明される。
【００５０】
少なくとも１つの追加信号３０９〜３１２の数は、例えば撮像された被検体１１８の一部の形状及び／又は追加信号の振幅に依存する。例えば、脳が撮像される場合は、追加信号は、脳の形状や大きさと一致する、例えば数センチの周辺領域で識別される。別の例では、図３において追加信号３０９は撮像領域に近接するもの又は撮像領域内にあるものと識別される一方、別の追加信号３１０〜３１２は識別されない。
【００５１】
ステップ２０３において、事前補償項Ａｅｉφ・ｈ（ｆ，ｔ）が、マルチバンドＲＦパルスＡｅｉφ・ｇ（ｆ，ｔ）から、及び追加信号、例えば追加信号３０９の第３の周波数帯域３０５及び／又は振幅３１３から導かれる。事前補償項は、（修正）マルチバンドＲＦパルスが印加された場合に、第３の周波数帯域３０５において得られる事前補償信号が、ＲＦ増幅器１１５及び／又はＲＦコイル１１４の非線形性によりもたらされる追加信号３０９と相殺するように結合されるように導かれる。このように、追加信号３０９は少なくとも部分的に抑制される。事前補償項は次の側波帯域モデル
【数２】
0006608435.tif 000003
として定義される。ここでｓｋは、主帯域、例えば３０７又は３０８の振幅（例えば測定された信号強度即ち振幅はｘｙ磁化（Ｍｘｙ）の２乗に関する）と側波帯域ｋ３０９の振幅の比率を表すチューニングパラメータである。ある信号の振幅（例えば側波帯域３０９又は主帯域３０７）は、その信号によりカバーされる中心周波数帯域における振幅を含む。別の例では、信号の振幅はその表面を含む。（２ｋ＋１）ｆは側波帯域ｋ３０９の側波帯域周波数を与える。φｋは、側波帯域ｋ３０９と主帯域３０７又は３０８の位相差である。Ｎは幾つの側波帯域（即ち追加信号）を補償すべきかを決定する。
【００５２】
事前補償項Ａｅｉφ・ｈ（ｆ，ｔ）は結合され、例えばマルチバンドＲＦパルスＡｅｉφ・ｇ（ｆ，ｔ）から差し引かれ、修正されたマルチバンドＲＦパルス（即ち上述の第２のマルチバンドＲＦパルス）Ａｅｉφ・（ｇ（ｆ，ｔ）−ｈ（ｆ，ｔ））が取得される。例えば、後続のＭＲＩスキャンのために、マルチバンドＲＦパルスは追加信号３０９の少なくとも一部を抑制するために修正されたマルチバンドＲＦパルスで置き換えられる。本方法の結果は、例えば図４に示されている。図４は、修正マルチバンドＲＦパルスを印加する前４００Ａ及び印加した後４００Ｂからなる、（６ｋＨｚ周波数変調により得られる）２つの空間スペクトルを示す。図４に示されるように、識別された追加信号４０１Ａは、本方法が適用された後（即ち修正マルチバンドＲＦパルスが印加された後）の対応する信号４０１Ｂと比べて少なくとも部分的に抑制されている。
【００５３】
例えば、事前補償項は、ＭＲＩシステム１００のユーザがマルチバンドＲＦパルスの修正を促されることに応答してＲＦパルス生成器１６４により受信される。別の例では、事前補償項は、所望の追加信号抑制が達成されるまで繰り返される実験により実験的に取得される。繰り返される実験は、例えばＭＲＩシステム１００を使用した較正スキャンにより行われる。別の例では、事前補償項は履歴データを用いて自動的に導出又は取得される；履歴データは事前補償項に関連付けてマルチバンドＲＦパルスを記憶する又は含む。
【００５４】
別の例では、補償項は調和関数として導出される。この場合には、修正マルチバンドＲＦパルスは、Ａｅｉφ・ｇ（ｆ，ｔ）・ｍ（ｆ，ｔ）と定義され、ｍ（ｆ，ｔ）は多項式関数であり、ｇ（ｆ，ｔ）ｍ（ｆ，ｔ）のｔについてのフーリエ変換は、ｆ及び−ｆにおいて１に近く、それ以外では０に近い応答を与える。
【００５５】
本開示の別の例では、撮像シーケンスが始まる前にマルチバンドＲＦパルスを反復的に補償することによりサイドローブ信号問題を解決又は回避する方法が本明細書で開示される。そのため、ステップ２０１及び２０３は、抑制された追加信号の少なくとも一部が所定の最小側波帯域信号振幅よりも高くなるまで繰り返される。例えば、（抑制される）最小側波帯域信号振幅は追加信号の９９％を含み、その結果、追加信号は完全に抑制される。別の例では、最小側波帯域信号振幅は追加信号の９５％である。ステップ２０１〜２０３の第１の繰り返し（反復）では、先のステップ２０３の第２のＲＦパルスは現在の繰り返し又は反復のステップ２０１の第１のＲＦパルスとして使用される。この場合は、事前補償項は次の側波帯域モデルで再定義される。
【数３】
0006608435.tif 000004
【００５６】
これによって、偶数及び奇数両方のサイドローブ（図７のスライスプロファイル７０９に示されるローブ）周波数（±ｋ＊ｆ，ｋ＝０，１，２，３，等）におけるサイドローブ（即ち追加信号）が抑制される。これはマルチバンドＲＦパルスが３つ以上のスライス、例えば図７の４つのメインローブ信号７０１に関連して示される４つのスライスを励起することを目的とする場合に特に有利である。ステップ２０１〜２０３（及びこれらの繰り返し）は、撮像シーケンスが始まる前の準備段階である。準備段階は、例えば後に物理的スキャンに使用される撮像条件及び／又は画像再構成等に使用されるデータを決定するための較正スキャン又はプレスキャンである。準備段階は臨床スキャン即ちメインスキャンとは別に行われる。準備段階は臨床又は物理的スキャンの前に行われる。物理的スキャン、臨床スキャン又はメインスキャンという言葉は、Ｔ１強調画像等の意図した診断画像を撮像するためのスキャンを指す。
【００５７】
例えば、この準備段階では、ステップ２０１の第１のマルチバンドＲＦパルスは、ステップ２０１〜２０３を繰り返す毎に送出され、すぐにＭＲＩシステムのスペクトロメータ出力（ＴＸ出力）及び／又はＲＦ増幅器（例えば１１５）のＲＦ増幅器フォワードポートから戻される。ＴＸ出力又はＲＦＡフォワードからの信号は、追加信号、即ちサイドローブ信号を決定するのに使用される。ＴＸ及び／又はＲＦＡに送信された第１のマルチバンドＲＦパルスとＴＸ及び／又はＲＦＡから受信されたパルス又は信号の差は第１のマルチバンドＲＦパルスに追加され、ステップ２０３の第２のマルチバンドＲＦパルスが形成される。
【００５８】
準備段階の終わりに、第２のマルチバンドＲＦパルスは、追加信号が少なくとも部分的に抑制されるために部分的又は完全に補償され、撮像シーケンスに使用される。
【００５９】
しかし、ハードウェアの欠陥が不可避の場合があり、小さなサイドローブが準備段階後も残ってしまう。従って、以下では画像再構成、例えば物理的スキャンにおいてサイドローブスライスを展開するための方法が説明される。この方法は準備段階と併用して又は準備段階とは別に適用される（例えば、これによって反復的な画像再構成の利用が妨げられる）。
【００６０】
従来の画像再構成法では、サイドローブは再構成行列に考慮されていない。しかし、実際には、準備段階の後もサイドローブ、例えば図３の４つのサイドローブ（３０９〜３１２）が残っている。図３の場合において、従来の再構成行列が使用される場合は、２つの画像のみが（メインローブ３０７〜３０８に関連して）生成されるが、４つのサイドローブからの信号がメインローブ画像に埋め込まれるためアーチファクトが存在する。
【００６１】
サイドローブ及びメインローブの異なるフリップ角を考慮するために、再構成行列（即ち公式）は、Ｓｃ，ｑ＊（ｆ＊ｘ）ｑ，１＝Ｃｃ，１と定義され、公式中の「１」は行列が１列しか有しないことを意味する。ここでｑは、１からメインローブの数に無視できないサイドローブ（即ちサイドローブは所定の最大雑音振幅よりも高い振幅を有する）の数を加えた数まで変化する数であり、Ｓｃ，ｑはスライスｑにおけるコイルｃの感度であり、ｘｑ，１はスライスｑからの空間依存信号であり、Ｃｃ，１は受信コイルｃの信号であり、ｆは全てのローブ（メイン及びサイドローブ）のフリップ角差を確定するために使用される。「ｆ」は準備段階の間に取得されたＲＦ信号から計算され、ｆは準備段階後の全てのローブ（メインローブ及びサイドローブ）の正規化された測定信号振幅である。正規化は、例えば所要のフリップ角、例えば１６４０を計算するために使用される値である単一値について行われる。別の例では、正規化は、メインローブ信号及び／又はサイドローブ信号の振幅の最大又は平均振幅について行われる。例えば、４つのメインローブ７０１及び４つのサイドローブ７０３〜７０７からなる図７のスライスプロファイル７００の場合は、「ｆ」は、信号７０１〜７０７の正規化された信号振幅である値を有する８要素アレイ（及びｑ＝１，２，３．．又は８）である。
【００６２】
再構成が行われた後、従来の再構成における４つではなく８つの画像が生成される。４つのサイドローブ信号は４つの個別の画像として再構成され、破棄される。従って、メインローブ画像にはアーチファクトが存在しない。また、メインローブ信号は等しくなく、その差は再構成公式の「ｆ」に反映されているため、メインローブにおける差も補正される。これによって４つのメインローブにおける明度差が補正される。例えば、これによって図４の２つのメインローブの等しくない振幅が補正される。
【００６３】
ＩＱ、撮像速度要件及びハードウェア欠陥の重症度に応じて、パルス事前歪み又は再構成確定を別々に使用する又は併用することができる。
【００６４】
修正された再構成行列を使用することにより、コイルの数がｑよりも多い限り、アーチファクトのないサイドローブスライスを含む全てのスライスを展開することができる。異なるフリップ角に起因する信号差も「ｆ」により補正される。
【００６５】
図３は、例えば２ｆ＝１６ｋＨｚにおいて、１０％以下の側波帯域信号が生成される（シミュレーションデータからの）スライスプロファイル３００を示す。理論的な又は設計されたスライスプロファイル（即ち、ＲＦ増幅器の制限等のハードウェア制限のない）は２つの信号３０７及び３０８のみからなる。
【００６６】
図５は、追加信号３０９、４０１Ａを決定するための方法のフローチャートである。
【００６７】
ステップ５０１において、マルチバンドＲＦパルスは２つのスライスを同時に励起するために印加される。
【００６８】
ステップ５０３において、ＭＲデータが、印加されたマルチバンドＲＦパルスに応答してＭＲＩシステム１００を使用して取得される。
【００６９】
ステップ５０５において、取得されたＭＲデータを使用して画像が再構成される。
【００７０】
ステップ５０７において、ＲＦパルス生成器１６４は、再構成された画像内に、例えば所定の最小振幅値よりも高い振幅を有する非ゼロ振幅を有する信号を識別する。ＲＦパルス生成器１６４は、識別された信号の周波数帯域を決定し、これを第１及び第２の周波数帯域と比較する。決定された周波数が第１又は第２の周波数帯域とは異なる（例えば重複しない、又は少なくとも部分的に重複する）場合は、関連信号は追加（不所望の側波帯域）信号である。
【００７１】
図６は、追加信号３０９、４０１Ａを自動的に決定するための別の方法のフローチャートである。
【００７２】
ステップ６０１において、ＲＦパルス生成器１６４は、履歴データ１７０内で１つ以上のマルチバンドＲＦパルスのうち、マルチバンドＲＦパルスに対応するテンプレートマルチバンドＲＦパルスを識別する。
【００７３】
ステップ６０３において、ＲＦパルス生成器１６４は、識別されたテンプレートマルチバンドＲＦパルスに関連付けられた周波数スペクトル３００を使用して追加信号を識別する。
【符号の説明】
【００７４】
１００  磁気共鳴イメージングシステム
１０４  磁石
１０６  磁石のボア
１０８  イメージングゾーン
１１０  磁場勾配コイル
１１２  磁場勾配コイル電源
１１４  高周波コイル
１１５  ＲＦ増幅器
１１８  被検体
１２６  コンピュータシステム
１２８  ハードウェアインターフェース
１３０  プロセッサ
１３２  ユーザインターフェース
１３４  コンピュータストレージ
１３６  コンピュータメモリ
１６０  制御モジュール
１６４  ＲＦパルス生成器
１７０  履歴データ
３００  スライスプロファイル
３０１〜３０５  周波数帯域
３０７〜３０８  主帯域（メインローブ）信号
３０９〜３１２  側波帯域（サイドローブ）信号
３１３  振幅
４００Ａ〜Ｂ  スライスプロファイル
４０１Ａ〜Ｂ  側波帯域信号
７００  スライスプロファイル
７０１  メインローブ信号
７０３〜７０７  サイドローブ信号
【図１】
0006608435.tif 000006
【図２】
0006608435.tif 000007
【図３】
0006608435.tif 000008
【図４】
0006608435.tif 000009
【図５】
0006608435.tif 000010
【図６】
0006608435.tif 000011
【図７】
0006608435.tif 000012